(57)【要約】    【課題】  カメラ本体の小型化及び組立性を向上させることができる撮像装置を提供する。    【解決手段】  デジタルカメラ本体１００は、撮像光学系を備える鏡筒部１０４と、電池等から成るバッテリーモジュール２１１を収納する電池収納部３０２と、デジタルカメラ本体１００を駆動及び制御するのに必要な安定した電源をデジタルカメラ本体１００に供給するＤＣ／ＤＣコンバータ回路を搭載した硬質のＤＣ／ＤＣプリント基板３０４と、撮像光学系のズーム制御等のメカ的な制御を行う半導体チップを実装した硬質のメカドライバプリント基板３０５と、ストロボ部１０５の発光制御を行うストロボ回路を搭載した硬質のストロボプリント基板３０６とを備える。硬質のＤＣ／ＤＣプリント基板３０４、硬質のメカドライバプリント基板３０５、及び硬質のストロボプリント基板３０６は、電池収納部３０２及び鏡筒部１０４の間において、カメラの光軸方向と略垂直である硬質のメインプリント基板３０３に垂直に配置される。【選択図】      図４
2006071819.tif 000002
【特許請求の範囲】
【請求項１】
鏡筒部と、グリップ部と、電池収納部と、前記鏡筒部の光軸方向と略垂直に配置された第１のプリント基板と、前記第１のプリント基板に垂直に配置された複数の第２のプリント基板とを備える撮像装置において、前記第２のプリント基板は、前記鏡筒部と前記電池収納部との間に配置されていることを特徴とする撮像装置。
【請求項２】
前記第２のプリント基板は、前記撮像装置の底面に垂直であることを特徴とする請求項１記載の撮像装置。
【請求項３】
前記第１のプリント基板は、前記第２のプリント基板の少なくとも１つとコネクタを介して電気的に接続されることを特徴とする請求項１又は２記載の撮像装置。
【請求項４】
前記第２のプリント基板の１つは、当該第２のプリント基板の１つに隣接した前記第２のプリント基板の他の１つとコネクタを介して電気的に接続されることを特徴とする請求項１乃至３のいずれか１項に記載の撮像装置。
【請求項５】
前記第１のプリント基板は、前記撮像装置の主要電気部品を実装することを特徴とする請求項１乃至４のいずれか１項に記載の撮像装置。
【請求項６】
前記主要電気部品は、ＣＰＵ、ＤＲＡＭ、及びフラッシュメモリのうちの少なくとも１つを含むことを特徴とする請求項５記載の撮像装置。
【請求項７】
前記第２のプリント基板の１つは、ＤＣ／ＤＣコンバータ回路を搭載し、前記電池収納部に隣接して配置されることを特徴とする請求項１乃至６のいずれか１項に記載の撮像装置。
【請求項８】
前記第２のプリント基板の１つは、ストロボ回路を搭載し、前記鏡筒部に隣接して配置されることを特徴とする請求項１乃至６のいずれか１項に記載の撮像装置。
【請求項９】
前記第２のプリント基板の１つは、ＤＣ／ＤＣコンバータ回路とストロボ回路の双方を搭載することを特徴とする請求項１乃至６のいずれか１項に記載の撮像装置。
【請求項１０】
前記第２のプリント基板の１つは、前記電池収納部に隣接して配置されることを特徴とする請求項９記載の撮像装置。
【請求項１１】
前記第２のプリント基板の１つは、前記鏡筒部に隣接して配置されることを特徴とする請求項９記載の撮像装置。
【請求項１２】
前記電池収納部は、前記グリップ部の中に配置されていることを特徴とする請求項１乃至１１のいずれか１項に記載の撮像装置。
【請求項１３】
前記撮像装置は、前記撮像装置を駆動するための電源部を備え、前記第２のプリント基板の１つは、前記電源部と接触する電源端子に直接電気的に接続されることを特徴とする請求項１乃至１２のいずれか１項に記載の撮像装置。
【請求項１４】
前記鏡筒部と前記グリップ部の間のスペースは、前記撮像装置の操作者の指が入る寸法以上であることを特徴とする請求項１乃至１３のいずれか１項に記載の撮像装置。
【請求項１５】
前記第２のプリント基板の形状を前記グリップ部の形状に合わせていることを特徴とする請求項１乃至１４のいずれか１項に記載の撮像装置。
【請求項１６】
前記グリップ部は指係り形状を有することを特徴とする請求項１乃至１５のいずれか１項に記載の撮像装置。
【発明の詳細な説明】
【技術分野】
【０００１】
本発明は、撮像装置に関する。
【背景技術】
【０００２】
従来のカメラは、カメラ本体をより一層小型化すべく、カメラ本体内のスペースをできるだけ有効に活用するための手段が講じられているが、カメラ本体の小型化は、その組立性の向上と相反するので、良好な組立性を確保することも考慮される必要がある。
【０００３】
従来のカメラは、その本体の右側前面にグリップ部を備え、また、本体の背面側外装部内のスペースに主要電気部品を搭載した第１のプリント基板と、この基板に垂直に当接された第２のプリント基板とを備える。第１のプリント基板は、グリップ部内においてコネクタ等の電気接続部によって当接されているので、カメラ本体の厚さ方向のスペースを有効に活用でき、また、プリント基板同士を接続する中継用のフレキシブルプリント基板（ＦＰＣ）を使用する必要をなくすことができ、もってカメラ本体の組立性を向上させ、コストダウンを実現することができる（例えば、特許文献１参照）。
【特許文献１】特開平１０−１７７２０３号公報
【発明の開示】
【発明が解決しようとする課題】
【０００４】
しかしながら、従来のカメラは、グリップ内にプリント基板が配置されるので、グリップが大型化すると共にカメラ本体のホールド感が損なわれ、長時間使用するユーザに疲労感等の煩わしさを与える可能性がある。
【０００５】
本発明の目的は、カメラ本体の小型化及び組立性を向上させることができる撮像装置を提供することにある。
【課題を解決するための手段】
【０００６】
上記目的を達成するために、請求項１記載の撮像装置は、鏡筒部と、グリップ部と、電池収納部と、前記鏡筒部の光軸方向と略垂直に配置された第１のプリント基板と、前記第１のプリント基板に垂直に配置された複数の第２のプリント基板とを備える撮像装置において、前記第２のプリント基板は、前記鏡筒部と前記電池収納部との間に配置されていることを特徴とする。
【０００７】
請求項２記載の撮像装置は、請求項１記載の撮像装置において、前記第２のプリント基板は、前記撮像装置の底面に垂直であることを特徴とする。
【０００８】
請求項３記載の撮像装置は、請求項１又は２記載の撮像装置において、前記第１のプリント基板は、前記第２のプリント基板の少なくとも１つとコネクタを介して電気的に接続されることを特徴とする。
【０００９】
請求項４記載の撮像装置は、請求項１乃至３のいずれか１項に記載の撮像装置において、前記第２のプリント基板の１つは、当該第２のプリント基板の１つに隣接した前記第２のプリント基板の他の１つとコネクタを介して電気的に接続されることを特徴とする。
【００１０】
請求項５記載の撮像装置は、請求項１乃至４のいずれか１項に記載の撮像装置において、前記第１のプリント基板は、前記撮像装置の主要電気部品を実装することを特徴とする。
【００１１】
請求項６記載の撮像装置は、請求項５記載の撮像装置において、前記主要電気部品は、ＣＰＵ、ＤＲＡＭ、及びフラッシュメモリのうちの少なくとも１つを含むことを特徴とする。
【００１２】
請求項７記載の撮像装置は、請求項１乃至６のいずれか１項に記載の撮像装置において、前記第２のプリント基板の１つは、ＤＣ／ＤＣコンバータ回路を搭載し、前記電池収納部に隣接して配置されることを特徴とする。
【００１３】
請求項８記載の撮像装置は、請求項１乃至６のいずれか１項に記載の撮像装置において、前記第２のプリント基板の１つは、ストロボ回路を搭載し、前記鏡筒部に隣接して配置されることを特徴とする。
【００１４】
請求項９記載の撮像装置は、請求項１乃至６のいずれか１項に記載の撮像装置において、前記第２のプリント基板の１つは、ＤＣ／ＤＣコンバータ回路とストロボ回路の双方を搭載することを特徴とする。
【００１５】
請求項１０記載の撮像装置は、請求項９記載の撮像装置において、前記第２のプリント基板の１つは、前記電池収納部に隣接して配置されることを特徴とする。
【００１６】
請求項１１記載の撮像装置は、請求項９記載の撮像装置において、前記第２のプリント基板の１つは、前記鏡筒部に隣接して配置されることを特徴とする。
【００１７】
請求項１２記載の撮像装置は、請求項１乃至１１のいずれか１項に記載の撮像装置において、前記電池収納部は、前記グリップ部の中に配置されていることを特徴とする。
【００１８】
請求項１３記載の撮像装置は、請求項１乃至１２のいずれか１項に記載の撮像装置において、前記撮像装置は、前記撮像装置を駆動するための電源部を備え、前記第２のプリント基板の１つは、前記電源部と接触する電源端子に直接電気的に接続されることを特徴とする。
【００１９】
請求項１４記載の撮像装置は、請求項１乃至１３のいずれか１項に記載の撮像装置において、前記鏡筒部と前記グリップ部の間のスペースは、前記撮像装置の操作者の指が入る寸法以上であることを特徴とする。
【００２０】
請求項１５記載の撮像装置は、請求項１乃至１４のいずれか１項に記載の撮像装置において、前記第２のプリント基板の形状を前記グリップ部の形状に合わせていることを特徴とする。
【００２１】
請求項１６記載の撮像装置は、請求項１乃至１５のいずれか１項に記載の撮像装置において、前記グリップ部は指係り形状を有することを特徴とする。
【発明の効果】
【００２２】
請求項１記載の撮像装置によれば、第２のプリント基板は、鏡筒部と、電池収納部との間に配置されているので、カメラ本体のスペースを有効に活用することができ、もってカメラ本体を小型化し、組立性を向上させることができる。
【００２３】
請求項２記載の撮像装置によれば、第２のプリント基板は、撮像装置の底面に垂直であるので、カメラ本体のスペースをより有効に活用することができる。
【００２４】
請求項３記載の撮像装置によれば、第１のプリント基板は、第２のプリント基板の少なくとも１つとコネクタを介して電気的に接続されるので、組立性を向上させることができる。
【００２５】
請求項４記載の撮像装置によれば、第２のプリント基板の１つは、第２のプリント基板の１つに隣接した他の前記第２のプリント基板とコネクタを介して電気的に接続されるので、組立性をより向上させることができる。
【００２６】
請求項７記載の撮像装置によれば、第２のプリント基板の１つは、ＤＣ／ＤＣコンバータ回路を搭載し、電池収納部に隣接して配置されるので、電源を効率良く取り入れることができる。
【００２７】
請求項９記載の撮像装置によれば、第２のプリント基板の１つは、ＤＣ／ＤＣコンバータ回路とストロボ回路の双方を搭載するので、カメラ本体のスペースをさらに有効に活用することができる。
【００２８】
請求項１０記載の撮像装置によれば、第２のプリント基板の１つは、電池収納部に隣接して配置されるので、確実に電源を効率良く取り入れることができる。
【００２９】
請求項１２記載の撮像装置によれば、電池収納部は、グリップ部の中に配置されているので、確実にカメラ本体のスペースを有効に活用することができる。
【００３０】
請求項１３記載の撮像装置によれば、第２のプリント基板の１つは、電源部と接触する電源端子に直接電気的に接続されるので、電源をより効率良く取り入れることができる。
【００３１】
請求項１４記載の撮像装置によれば、鏡筒部とグリップ部とのスペースは、操作者の指が入るスペース以上であるので、グリップを把持しやすくすることができる。
【００３２】
請求項１５記載の撮像装置によれば、第２のプリント基板の形状をグリップ部の形状に合わせているので、カメラ本体のスペースを有効に活用することができる。
【００３３】
請求項１６記載の撮像装置によれば、グリップ部は、指係り形状を有するので、良好なグリップ感を持たせることができ、もってさらにグリップを把持しやすくすることができる。
【発明を実施するための最良の形態】
【００３４】
以下、本発明の実施の形態を図面を用いて詳述する。
【００３５】
図１は、本発明の実施の形態に係る撮像装置の斜視図であり、（ａ）は正面側から見た場合、（ｂ）は背面側から見た場合を夫々示す。
【００３６】
図１において、撮像装置としてのデジタルカメラ本体１００は、正面側の正面側外装部１０１と、背面側の背面側外装部１０２とを備える。
【００３７】
正面側外装部１０１は、中央部に被写体像を取り込む光学系を有するレンズ部１０３と、レンズ部１０３を保持する鏡筒部１０４とを備え、上方に、ストロボ部１０５と、光学ファインダ窓１０６と、各種光学センサ用に設けられた光学センサ窓１０７とを備え、上側部に、撮影を実行するレリーズボタン１０８を備える。
【００３８】
正面側外装部１０１は、向かって右側に、指係り形状を有するグリップ１０９を備えており、グリップ１０９及び鏡筒部１０４の間は、少なくとも撮影者の指が入るスペース以上は確保される。
【００３９】
背面側外装部１０２は、上方に、光学式変倍機能又はデジタル式変倍機能使用時に左右夫々の端に設けられたスイッチによってその倍率を調整するズームボタン１１０と、デジタルカメラ本体１００の電源のＯＮ／ＯＦＦを行うスイッチ１１１とを備え、中央部に、撮影画像の確認、再生、及び撮影条件等の各種情報の表示を行う液晶表示装置（ＬＣＤ：Liquid Crystal Display）１１２と、十字型に配列された４つのスイッチ押圧箇所を有し、液晶表示装置１１２に表示されるメニューを操作及び選択することによってデジタルカメラ本体１００の動作を制御する十字キー１１３とを備え、下方に、十字キー１１３と同様の機能を有するスイッチ群１１４を備える。
【００４０】
図２は、図１のデジタルカメラ本体１００の内部構成を概略的に示すブロック図である。
【００４１】
図２において、デジタルカメラ本体１００は、デジタルカメラ本体１００を制御すると共に各種データの演算を行うＣＰＵ（Central Processing Unit）２０１と、ＣＰＵ２０１が動作中に各種データを格納するＲＡＭ（Random Access Memory）２０２と、ＣＰＵ２０１で実行されるプログラムや各種データを予め格納するＲＯＭ（Read Only Memory）２０３と、レンズやシャッター等を制御し、ＣＣＤ（Charge Coupled Device）及びＣＭＯＳ（Complementary Metal-Oxide Semiconductor）等の撮像素子から出力される撮像信号に基づいて画像データを出力するカメラモジュール２０４と、カメラモジュール２０４から出力された画像データのＪＰＥＧ（Joint Photographic Expert Group）圧縮及びＪＰＥＧ圧縮された画像データの伸張を行うＪＰＥＧモジュール２０５と、ＪＰＥＧモジュール２０５によって圧縮された画像データを画像ファイルとして保存する取り外し可能な不揮発性メモリカード２０７が接続されるメモリカードインターフェース部２０６と、液晶表示装置１１２に撮影画像及び再生画像等の表示を行うビデオモジュール２０８と、デジタルカメラ本体１００に備える不揮発性メモリ（不図示）又は不揮発性メモリカード２０７に保存された画像データを印刷するプリントモジュール２０９と、ユーザによって操作される各種ボタンの状態を読取るユーザインターフェースモジュール２１０と、デジタルカメラ本体１００を動作させるための電源を供給するバッテリーモジュール２１１とを備え、これらは夫々バス２１２を介して接続される。
【００４２】
図３は、図１のデジタルカメラ本体１００の部分分解斜視図であり、（ａ）は正面側から見た場合、（ｂ）は背面側から見た場合を夫々示す。また、図４は、図１のデジタルカメラ本体１００の分解平面図である。
【００４３】
図３において、デジタルカメラ本体１００は、デジタルカメラ本体１００の光軸方向に略垂直に配置されたメインフレーム３０１を備える。
【００４４】
デジタルカメラ本体１００は、また、撮像光学系を備える鏡筒部１０４と、電池等から成るバッテリーモジュール２１１を収納する電池収納部３０２と、デジタルカメラ本体１００の主要電気部品であるＤＲＡＭ４０１、画像処理用チップ４０２、及びＣＰＵ４０３等が実装され、カメラの光軸方向と略垂直に配置された硬質のメインプリント基板３０３と、デジタルカメラ本体１００を駆動及び制御するのに必要な安定した電源をデジタルカメラ本体１００に供給するＤＣ／ＤＣコンバータ回路を搭載した硬質のＤＣ／ＤＣプリント基板３０４と、撮像光学系のズーム制御等のメカ的な制御を行う半導体チップを実装した硬質のメカドライバプリント基板３０５と、ストロボ部１０５の発光制御を行うストロボ回路を搭載した硬質のストロボプリント基板３０６と、テレビ受像機等の外部映像デバイスに接続されるアナログビデオ端子３０７ａ、外部直流電源に接続される電源端子３０７ｂ、及びＰＣ等に接続されるデジタル端子３０７ｃを各種外部接続端子として実装した外部接続端子基板３０７と、ストロボユニット等の各種メカ部品（不図示）とを備え、これらは螺子等によってメインフレーム３０１に固定される。
【００４５】
硬質のＤＣ／ＤＣプリント基板３０４、硬質のメカドライバプリント基板３０５、及び硬質のストロボプリント基板３０６は、電池収納部３０２及び鏡筒部１０４の間において、硬質のメインプリント基板３０３に垂直に且つデジタルカメラ本体１００の底面に垂直で配置されている。これにより、デジタルカメラ本体１００は、各種基板を効率良く配置させることができ、もってデジタルカメラ本体１００を小型化することができる。
【００４６】
また、硬質のＤＣ／ＤＣプリント基板３０４は、半田付け等によってリード線を介して電池端子３０８に電気的に接続され、電池端子３０８に接続されたバッテリーモジュール２１１から電源が供給される。
【００４７】
さらに、硬質のＤＣ／ＤＣプリント基板３０４は、リード線を介して電池端子３０８に電気的に接続されるのではなく、半田付けによって直接電池端子３０８に接続されてもよい。これにより、硬質のＤＣ／ＤＣプリント基板３０４は、バッテリーモジュール２１１から効果的に電源が供給され、もって電気的ロスを低減させることができる。
【００４８】
アナログビデオ端子３０７ａ，電源端子３０７ｂ，及びデジタル端子３０７ｃは、他の電気実装部品と比べ高さの高い部品であるので、これらを備える外部接続端子基板３０７は、鏡筒部１０４の直下で且つデジタルカメラ本体１００の底面部に略平行に配置される。これにより、デジタルカメラ本体１００は、鏡筒部１０４、カメラ側面部、及びカメラ底面部に囲まれるスペースを有効活用することができ、もってデジタルカメラ本体１００を小型化することができる。
【００４９】
図４において、硬質のＤＣ／ＤＣプリント基板３０４は、電池収納室３０２の隣接位置に配置され、硬質のストロボプリント基板３０６は、鏡筒部１０４の隣接位置に配置される。これにより、硬質のＤＣ／ＤＣプリント基板３０４は、バッテリーモジュール２１１から供給される電源を効率よく取り入れることができ、もって電気的ロスを低減させることができる。
【００５０】
さらに、硬質のＤＣ／ＤＣプリント基板３０４及び硬質のストロボプリント基板３０６の代わりに、ＤＣ／ＤＣコンバータ回路及びストロボ回路を実装した基板を用いてもよい。これにより、使用する基板の数を減らすことができ、もってデジタルカメラ本体１００を小型化することができる。
【００５１】
図５は、図３のデジタルカメラ本体１００の各種基板の接続方法を説明するのに用いられる図であり、（ａ）は接続箇所を示し、（ｂ）は接続された状態を示す。
【００５２】
図５において、硬質のメインプリント基板３０３はコネクタ３０３ａを備え、硬質のメカドライバプリント基板３０５はコネクタ３０５ｂを備え、硬質のＤＣ／ＤＣプリント基板３０４は、硬質のＤＣ／ＤＣプリント基板３０４のコネクタ３０４ｂに接続されたコネクタ３０５ｂを介して硬質のメカドライバプリント基板３０５と電気的に接続され、また、硬質のＤＣ／ＤＣプリント基板３０４のコネクタ３０４ａに接続されたコネクタ３０３ａを介してメイン基板３０２と電気的に接続される。
【００５３】
硬質のメインプリント基板３０３は、硬質のＤＣ／ＤＣプリント基板３０４とコネクタ接続しており、且つメインフレーム３０１と螺子によって固定される。これにより、背面側外装部１０２を取り外すだけで容易に組ばらしが可能であり、もって、メイン基板３０２を交換するだけでデジタルカメラ本体１００の機能変更等を行うことができ、組立性を向上させることができる。
【００５４】
また、本実施の形態では、電池収納部３０２は、グリップ１０９内に備えられていたが、電池収納部３０２はグリップ１０９内以外の場所に備えられてもよい。
【００５５】
図６は、図１のデジタルカメラ本体１００の変形例の分解平面図である。
【００５６】
図６において、デジタルカメラ６００は、図１のデジタルカメラ本体１００と基本的に同じ構成であるが、硬質のＤＣ／ＤＣプリント基板３０４、硬質のメカドライバプリント基板３０５、及び硬質のストロボプリント基板３０６は、グリップ１０９の曲面形状に合わせて形成される。これにより、グリップ部１０９、鏡筒部１０７、及びカメラ背面部によって囲まれるスペースを有効に利用することができ、硬質プリント基板群の設計自由度を高くすることができると共に、カメラ本体を小型化することができる。
【図面の簡単な説明】
【００５７】
【図１】本発明の実施の形態に係る撮像装置の斜視図であり、（ａ）は正面側から見た場合、（ｂ）は背面側から見た場合を夫々示す。
【図２】図１のデジタルカメラ本体の内部構成を概略的に示すブロック図である。
【図３】図１のデジタルカメラ本体の部分分解斜視図であり、（ａ）は正面側から見た場合、（ｂ）は背面側から見た場合を夫々示す。
【図４】図１のデジタルカメラ本体の分解平面図である。
【図５】図３のデジタルカメラ本体の各種基板の接続方法を説明するのに用いられる図であり、（ａ）は接続箇所を示し、（ｂ）は接続された状態を示す。
【図６】図１のデジタルカメラ本体の変形例の分解平面図である。
【符号の説明】
【００５８】
１００  デジタルカメラ本体
１０１  正面側外装部
１０２  背面側外装部
１０３  レンズ部
１０４  鏡筒部
１０５  ストロボ部
１０６  光学ファインダ窓
１０７  光学センサ窓
１０８  レリーズボタン
１０９  グリップ
１１０  ズームボタン
１１４  スイッチ群
２１１  バッテリーモジュール
３０１  メインフレーム
３０２  電池収納部
３０３  硬質のメインプリント基板
３０４  硬質のＤＣ／ＤＣプリント基板
３０５  硬質のメカドライバプリント基板
３０６  硬質のストロボプリント基板
３０７  外部接続端子基板
３０８  電池端子
【図１】
2006071819.tif 000003
【図２】
2006071819.tif 000004
【図３】
2006071819.tif 000005
【図４】
2006071819.tif 000006
【図５】
2006071819.tif 000007
【図６】
2006071819.tif 000008